(57)【要約】【課題】  地上架設式の二軌条運搬車において、積荷のアンバランスや軌条の架設誤差を吸収できるようにする。【解決手段】  地上に架設されたメインレールとサブレールとからなる二軌条上を走行する地上架設式二軌条運搬車の台車支持構造であり、メインレール側では、台車をレール長手方向の前後二カ所に設けられたメインローラユニットで各々レール幅方向に回動可能な左右ヒンジを介して垂直軸回りに回動可能に支持し、サブレール側では、台車をレール長手方向に延びる下部サブフレームの前後二カ所に設けられたサブローラユニットで垂直軸回りに回動可能に支持するとともに、下部サブフレームの上方に台車に続く上部サブフレームを設け、上部サブフレームの前後中心を下部サブフレームでレール長手方向に回動可能な前後ヒンジで支持する。【選択図】  図２
2010137801.tif 000002
【特許請求の範囲】
【請求項１】
地上に架設されたメインレールとサブレールとからなる二軌条上を走行する地上架設式二軌条運搬車の台車支持構造であり、メインレール側では、台車をレール長手方向の前後二カ所に設けられたメインローラユニットで各々レール幅方向に回動可能な左右ヒンジを介して垂直軸回りに回動可能に支持し、サブレール側では、台車をレール長手方向に延びる下部サブフレームの前後二カ所に設けられたサブローラユニットで垂直軸回りに回動可能に支持するとともに、下部サブフレームの上方に台車に続く上部サブフレームを設け、上部サブフレームの前後中心を下部サブフレームでレール長手方向に回動可能な前後ヒンジで支持したことを特徴とする地上架設式二軌条運搬車における台車支持構造。
【請求項２】
メインローラユニットが、メインレールを上下から抱く上下、前後の四つのローラを有しており、かつ、上方ローラの前後中心に設けられる水平軸の回りに回動可能に設けられている請求項１の地上架設式二軌条運搬車における台車支持構造。
【請求項３】
サブローラユニットが、サブレール上を転動する前後二つのローラを有しており、かつ、各ローラの前後中心に設けられる水平軸の回りに回動可能に設けられている請求項１又は２の地上架設式二軌条運搬車における台車支持構造。
【請求項４】
サブローラユニットを構成する各ローラがサブレールよりも幅広に設けられている請求項４の地上架設式二軌条運搬車における台車支持構造。
【請求項５】
メインレールの高さがサブフレームの高さよりも高く設定される請求項１〜４いずれかの地上架設式二軌条運搬車における台車支持構造。
【発明の詳細な説明】
【技術分野】
【０００１】
本発明は、比較的大重量、長尺の資材等を運搬する地上架設式二軌条運搬車の台車支持構造に関するものである。
【背景技術】
【０００２】
ベースキャンプから離れた原野や山林に設置されるパイプラインや橋梁といった大型工事では、各種の資材や人員を運搬するのに軌条運搬車を用いている。軌条運搬車には、軌条を支柱で地上に架設する地上架設式のものが多く、これによると、地面を厳重に整地する必要がないし、周囲の樹木等の伐採も狭い幅でよいから、敷設コストが安くつくのが利点である。一般に、軌条式運搬車の軌条は単軌条が多いが、大重量や長尺の荷物を運搬する場合はメインレールとサブレールからなる二軌条が用いられる。
【０００３】
下記特許文献１でも、二軌条運搬車が提案されているが、この先行例のものは、メイン、サブとも二つの軌条（レール）は地上に直接敷設されているから、ある程度の整地が必要になり、敷設コストも相応に要する。また、軌条を地上に敷設すると、車輪（ローラ）で軌条を上下から抱くことができないから、車輪の浮上がりを防止する特別の手段を必要とする。一方で、二軌条型にすると、各レールの高さや幅は厳密には一致せず、また、人員を含む積荷も完全にバランスして積載することはできないから、各ローラには偏荷重が生じ、車体の安定性に欠けることになる。
【特許文献１】特開２０００−２８９６０５号公報
【発明の開示】
【発明が解決しようとする課題】
【０００４】
本発明は、敷設コストが比較的安い地上架設式で、しかも、二軌条による大重量の荷物の運搬も可能な地上架設式二軌条運搬車を具現したものであり、これにおいて、各レールの架設精度が若干劣っていたり、積荷がアンバランスであっても、車体の安定性が保てるようにしたものである。
【課題を解決するための手段】
【０００５】
以上の課題の下、本発明は、請求項１に記載した、地上に架設されたメインレールとサブレールとからなる二軌条上を走行する地上架設式二軌条運搬車の台車支持構造であり、メインレール側では、台車をレール長手方向の前後二カ所に設けられたメインローラユニットで各々レール幅方向に回動可能な左右ヒンジを介して垂直軸回りに回動可能に支持し、サブレール側では、台車をレール長手方向に延びる下部サブフレームの前後二カ所に設けられたサブローラユニットで垂直軸回りに回動可能に支持するとともに、下部サブフレームの上方に台車に続く上部サブフレームを設け、上部サブフレームの前後中心を下部サブフレームでレール長手方向に回動可能な前後ヒンジで支持したことを特徴とする地上架設式二軌条運搬車における台車支持構造を提供したものである。
【０００６】
また、本発明は、以上の台車支持構造において、請求項２に記載した、メインローラユニットが、メインレールを上下から抱く上下、前後の四つのローラを有しており、かつ、上方ローラの前後中心に設けられる水平軸の回りに回動可能に設けられている手段、請求項３に記載した、サブローラユニットが、サブレール上を転動する前後二つのローラを有しており、かつ、各ローラの前後中心に設けられる水平軸の回りに回動可能に設けられている手段、請求項４に記載した、サブローラユニットを構成する各ローラがサブレールに対して幅広に設けられている手段、請求項５に記載した、メインレールの高さがサブフレームの高さよりも高く設定される手段を提供する。
【発明の効果】
【０００７】
請求項１の発明によると、メインレールを転動するローラを有するメインローラユニットは、台車に対してレール幅方向に回動可能な左右ヒンジが介設されており、また、サブレールを転動するローラを有するサブローラユニットはレール長手方向に回動する前後ヒンジが介設されているから、メイン及びサブのレールの高さ、幅、勾配に多少違いがあっても、これを吸収し、車体の安定性を保つ。加えて、積荷にアンバランスがあっても、車体の安定性を保つ。
【０００８】
請求項２の手段によると、メインローラユニットにるメインレールへの追従性がよくなり、浮上がりも防止できる。請求項３の手段によると、サブローラユニットのサブレールへの追従性が高まるし、請求項４の手段によると、両レールの間隔等に架設誤差があっても、サブローラユニットがサブレールから脱輪するのを防ぐことができる。請求項５の手段によると、台車の重量をサブレール側により多く負担させて車体の安定性に寄与する
【発明を実施するための最良の形態】
【０００９】
以下、本発明の実施の形態を図面を参照して説明する。図１は本発明の一例を示す地上架設式二軌条運搬車の台車の側面図、図２は正面図であるが、この台車１は、荷台フレーム２の前後に前枠３と後枠４を立てたものである（前枠３と後枠４とには適宜渡棒（図示省略）を渡して箱状にすることができる）。地上には、いずれも角パイプから構成されるメインレール５とサブレール６とがそれぞれ支柱７、８で一定高さに架設されており、荷台フレーム２の裏面に設けられたメインローラユニット９とサブローラユニット１０でメインレール５とサブレール６上を転動して走行する。
【００１０】
なお、図示は省略するが、台車１は牽引車で牽引されるようになっており、この牽引車はメインレール５を案内として走行する単軌条式のものである。このため、メインレール５には一面にラック１１が貼設されており、牽引車に装備された原動機で駆動される駆動機構を構成するピニオンをラック１１に噛み合わせて走行する。この点で、軌条がある程度の急勾配を有していても登坂できるし、また、ピニオンをロックすると、強力な制動機構ともなるものである。
【００１１】
図３はメインローラユニット９の正面断面図、図４は一部断面側面図であるが、メインローラユニット９は、荷台フレーム２の前後に装備されるものであり、メインレール５の側方に垂れ下がる垂直板１２に上方前ローラ１３と上方後ローラ１４及び下方前ローラ１５と下方後ローラ１６からなる四つのローラをメインレール５を上下から抱くように取り付けたものである。この場合の各ローラ１３〜１６はいずれもフランジを有しており、これで脱輪を防ぐものになっている。
【００１２】
そして、垂直板１２の前後中心（上方前ローラ１３と上方後ローラ１４の中間）から水平軸１７をメインレール５上に張り出させ、水平軸１７に上方前ローラ１３と上方後ローラ１４の取付けが可能なように中が空間になった水平板１８をレール長手方向（以下、前後方向）に回動可能に取り付けるとともに、水平軸１７から垂直軸１９を起立させてこの垂直軸１９をハウジング２０で水平回転可能に設けられる水平軸受２１で支持したものである。
【００１３】
さらに、水平軸受２１と荷台フレーム２の裏面とをレール幅方向（以下、左右方向）に回動可能な左右ヒンジ２２を介して連結したものである。この場合の左右ヒンジ２２は、左右方向に回動できるものであれば、その構成には拘らないが、図示で示すものは、荷台フレーム２に取り付けられた前後水平方向のスリーブ２３に回動軸２４を回転可能に挿入し、回動軸２４の両端を水平軸受２１のハウジング２０に固定される軸受板２５で支持したものである。これにより、メインレール５側の荷台フレーム２は、水平方向及び水平面内での回動が可能になるし、メインローラユニット９も水平軸１７を中心に前後に回動可能になる。なお、上記したラック１１を用いて荷台フレーム２側にもブレーキ装置を設けることもある。
【００１４】
図５はサブローラユニット１０の正面断面図、図６は一部断面側面図であるが、サブローラユニット１０は、荷台フレーム２の裏面に前後方向に延びる下部サブフレーム２６を延設し、下部サブフレーム２６の前後端にローラカバー２７を取り付け、ローラカバー２７にサブレール６上に乗る前方ローラ２８と後方ローラ２９を回転可能に取り付けたものである。そして、ローラカバー２７の中心（前方ローラ２８と後方ローラ２９の中間）に水平軸３０を通して水平軸３０に前後方向に回動可能な支持筒３１を起立させ、支持筒３１を上記した水平軸受２１で支持したものである。
【００１５】
一方、下部サブフレーム２６の上方で、荷台フレーム２の裏面に上部サブフレーム３２を前後に延設し、上部サブフレーム３２の中心を下部サブフレーム２６で前後方向に回動可能な前後ヒンジ３３で支持する。なお、この場合の前後ヒンジ３３は、前記したスリーブ２４と回動軸２４とからなる左右ヒンジ２２と同じ構造のものでよい。
【００１６】
これにより、サブレール６上方に位置する荷台フレーム２は、水平方向及び水平面内での回動が可能になるし、サブローラユニット１０も支持軸３０を中心に前後に回動可能になる。メインローラユニット９とサブローラユニット１０とが以上の構成をとると、メインレール９の方がサブレール１０よりも構造上高くなる。
【００１７】
以上の運搬車を走行させるには、メインレール５とサブレール６とを架設する必要がある。このためには、両レール５、６のそれぞれの高さ、幅、勾配が設定したものと一致する必要がある。したがって、ゲージ等を用いて慎重な架設作業をするが、完全な一致は事実上無理である。加えて、台車１の長さも２〜４ｍあり、仮に両レール５、６が設定どおりに架設されていたとしても、メインローラユニット９とサブローラユニット１０のすべてのローラを遍荷重なしに支持するのは非常に難しい。そこで、この誤差を吸収する必要があるが、メインローラユニット９やサブローラユニット１０が上記した構成をとることでこれを吸収できる。
【００１８】
具体的には、前後二つのメインローラユニット９がそれぞれに左右ヒンジ２１で支持されて左右方向に回動可能であること、及びメインローラユニット９自体が前後方向に回動できることである。また、下部サブフレーム２６が上部サブフレーム３２に対して前後ヒンジ３３で前後方向に回動可能であること、及びサブローラユニット１０自体が下部サブフレーム２６に対して前後方向に回動できることである。加えて、メインローラユニット９やサブローラユニット１０はそれぞれ荷台フレーム２や下部サブフレーム２６に対して水平面内で回動できることも寄与している。
【００１９】
ところで、メインローラユニット９は四つのローラ１３〜１６でメインレール５を上下から抱いているから、カーブにおいても、メインレール５から逸脱することはないが、サブローラユニット１０を構成する二つのローラ２８、２９はサブレール６上を転動しているのみであるから、二つのレール５、６の広狭の誤差がある場合、二つのローラ２８、２９はサブレール６に対して位置がずれることがある。このような場合でも、二つのローラ２８、２９はサブレール６の幅よりも広くしてあるから、脱輪を起こすことはない。なお、この広さは、二つのローラ２８、２９の広さはサブレール６の幅の２倍以上にしておくのが適する。
【図面の簡単な説明】
【００２０】
【図１】二軌条運搬車の側面図である。
【図２】二軌条運搬車の正面図である。
【図３】メインローラユニットの正面断面図である。
【図４】メインローラユニットの一部断面側面図である。
【図５】サブローラユニットの正面断面図である。
【図６】サブローラユニットと上部及び下部サブフレームの関係を示す一部断面側面図である。
【符号の説明】
【００２１】
１    台車
２    荷台フレーム
３    前枠
４    後枠
５    メインレール
６    サブレール
７    支柱
８    支柱
９    メインローラユニット
１０  サブローラユニット
１１  ラック
１２  垂直いた
１３  上方前ローラ
１４  上方後ローラ
１５  下方前ローラ
１６  下方後ローラ
１７  水平軸
１８  水平いた
１９  垂直軸
２０  ハウジング
２１  水平軸受
２２  左右ヒンジ
２３  スリーブ
２４  回動軸
２５  軸受板
２６  下部サブフレーム
２７  ローラカバー
２８  前方ローラ
２９  後方ローラ
３０  水平軸
３１  支持筒
３２  上部サブフレーム
３３  前後ヒンジ
【図１】
2010137801.tif 000003
【図２】
2010137801.tif 000004
【図３】
2010137801.tif 000005
【図４】
2010137801.tif 000006
【図５】
2010137801.tif 000007
【図６】
2010137801.tif 000008